(57)【要約】【課題】  操作性を向上し得る編集装置及び編集方法並びに編集プログラムを提案する。【解決手段】  音声情報の現在の再生位置を表す第１の再生スライダーバー１２２と、当該第１の再生スライダーバー１２２に沿って、当該ブックマーク画像が関連付けられた音声位置（タイムコード位置）に、ブックマーク画像の画像サイズが所定サイズに縮小されてなる縮小画像Ｒとをディスプレイ６２に表示し、その縮小画像Ｒを、第１の再生スライダーバー１２２に沿って移動させる操作に応動させて縮小画像Ｒを移動させるようにした。【選択図】        図１５
2006173795.tif 000002
【特許請求の範囲】
【請求項１】
音声情報における１又は複数の音声位置に関連付けられた画像情報の音声位置を管理する管理情報を編集する編集装置において、
上記画像を、所定の画像サイズに変更してなる変更画像を生成する生成手段と、
上記音声情報の現在の再生位置を表すスライダーバーを表示すると共に、当該スライダーバーに沿って、上記音声位置に上記変更画像を表示する表示手段と、
上記表示手段に表示された上記変更画像を、上記スライダーバーに沿って移動させる操作を入力するための入力手段と、
上記入力手段を介して入力された上記操作により決定された後の設定に応じて、上記管理情報における上記変更画像が関連付けられた上記音声情報の音声位置に、対応する上記画像情報の音声位置を更新する更新手段と
を具え、
上記表示手段は、
上記操作に応動させて上記変更画像を移動させる
ことを特徴とする編集装置。
【請求項２】
上記音声情報を再生する音声再生手段を具え、
上記音声再生手段は、
上記操作により決定された上記変更画像の上記音声位置から上記音声情報の再生を開始する
ことを特徴とする請求項１に記載の編集装置。
【請求項３】
上記スライダーバーは、ユーザ操作に応じて表示倍率が変更自在の第１のスライダーバーでなり、
上記表示手段は、
上記第１のスライダーバーと、上記表示倍率が固定の第２のスライダーバーとをそれぞれ表示すると共に、当該第１のスライダーバーに沿って、上記変更画像を表示する
ことを特徴とする請求項１に記載の編集装置。
【請求項４】
上記表示手段は、
上記操作により決定された上記変更画像の上記音声位置を、ユーザ操作に応じて任意の操作回数前の状態に戻す又は初期の状態に戻す
ことを特徴とする請求項１に記載の編集装置。
【請求項５】
音声情報における１又は複数の音声位置に関連付けられた画像情報の音声位置を管理する管理情報を編集する編集方法において、
上記画像を、所定の画像サイズに変更してなる変更画像を生成する第１のステップと、
上記音声情報の現在の再生位置を表すスライダーバーを表示すると共に、当該スライダーバーに沿って、上記音声位置に上記変更画像を表示する第２のステップと、
表示された上記変更画像を、上記スライダーバーに沿って移動させる操作を入力する入力操作により決定された後の設定に応じて、上記管理情報における上記変更画像が関連付けられた上記音声情報の音声位置に、対応する上記画像情報の音声位置を更新する第３のステップと
を具え、
上記第２のステップでは、
上記操作に応動させて上記変更画像を移動させる
ことを特徴とする編集方法。
【請求項６】
上記操作により決定された上記変更画像の上記音声位置から上記音声情報の再生を開始する音声開始ステップ
を具えることを特徴とする請求項５に記載の編集方法。
【請求項７】
上記スライダーバーは、ユーザ操作に応じて表示倍率が変更自在の第１のスライダーバーでなり、
上記第２のステップでは、
上記第１のスライダーバーと、上記表示倍率が固定の第２のスライダーバーとをそれぞれ表示すると共に、当該第１のスライダーバーに沿って、上記変更画像を表示する
ことを特徴とする請求項５に記載の編集方法。
【請求項８】
上記第２のステップでは、
上記操作により決定された上記変更画像の上記音声位置を、ユーザ操作に応じて任意の操作回数前の状態に戻す又は初期の状態に戻す
ことを特徴とする請求項５に記載の編集方法。
【請求項９】
音声情報における１又は複数の音声位置に関連付けられた画像情報の音声位置を管理する管理情報を編集する編集プログラムにおいて、
コンピュータに対して、
上記画像を、所定の画像サイズに変更してなる変更画像を生成する第１の処理と、
上記音声情報の現在の再生位置を表すスライダーバーを表示すると共に、当該スライダーバーに沿って、上記音声位置に上記変更画像を表示する第２の処理と、
表示された上記変更画像を、上記スライダーバーに沿って移動させる操作を入力する入力操作により決定された後の設定に応じて、上記管理情報における上記変更画像が関連付けられた上記音声情報の音声位置に、対応する上記画像情報の音声位置を更新する第３の処理と
を具え、
上記第２の処理では、
上記操作に応動させて上記変更画像を移動させる
ことを特徴とする編集プログラム。
【請求項１０】
上記操作により決定された上記変更画像の上記音声位置から上記音声情報の再生を開始する音声開始処理
を具えることを特徴とする請求項９に記載の編集プログラム。
【請求項１１】
上記スライダーバーは、ユーザ操作に応じて表示倍率が変更自在の第１のスライダーバーでなり、
上記第２の処理では、
上記第１のスライダーバーと、上記表示倍率が固定の第２のスライダーバーとをそれぞれ表示すると共に、当該第１のスライダーバーに沿って、上記変更画像を表示する
ことを特徴とする請求項９に記載の編集プログラム。
【請求項１２】
上記第２の処理では、
上記操作により決定された上記変更画像の上記音声位置を、ユーザ操作に応じて任意の操作回数前の状態に戻す又は初期の状態に戻す
ことを特徴とする請求項９に記載の編集プログラム。
【発明の詳細な説明】
【技術分野】
【０００１】
本発明は、編集装置及び編集方法並びに編集プログラムに関し、特に、音声情報における１又は複数の音声位置に関連付けられた画像情報の音声位置を管理する管理情報を編集する編集装置に適用して好適なものである。
【背景技術】
【０００２】
従来、携帯型の音声記憶装置として、ＩＣレコーダがある。ＩＣレコーダは、内蔵するマイクロホンにより外部音声を集音し、得られた音声データを圧縮符号化処理して内蔵の半導体メモリや装填された外部メモリに記憶するものである。
【０００３】
このようなＩＣレコーダは、小型軽量に構成されて可搬性に優れているため、近年では会議や打ち合わせ等のビジネスシーンにおいて用いられる一方で、パーソナルユースの音声メモ機器としても広く用いられている。
【０００４】
さらに近年では、ＣＣＤ（Charge Coupled Device）カメラが搭載され、録音中に当該ＣＣＤカメラにより撮像した画像の画像情報をそのときの音声位置と関連付けて保存でき、その後かかる画像を手掛かりとして所望の音声位置に容易にアクセスし得るようになされたカメラ付きＩＣレコーダなども本願特許出願人により提案されている。
【非特許文献１】特願２００４−２５６１９９
【発明の開示】
【発明が解決しようとする課題】
【０００５】
ところで、近年のＩＣレコーダには、ＩＣレコーダ内に保存されている録音音声の音声ファイルと、当該音声ファイルに関連付けられた画像情報とのをパーソナルコンピュータ上で再生したり又は編集し得る機能を有するアプリケーションソフトウェアが記録されたＣＤ−ＲＯＭ（Compact Disc-Read Only Memory）が付属品として同梱されている。
【０００６】
そしてユーザは、かかるアプリケーションソフトウェアを自己のパーソナルコンピュータにインストールしてこれを起動することによって、所定のグラフィカルユーザインターフェース（以下、これを単にＧＵＩ（Graphical User Interface）と呼ぶ）をパーソナルコンピュータのディスプレイに表示させることができ、このＧＵＩを用いて、当該パーソナルコンピュータとケーブルを介して接続したＩＣレコーダ内に保存されている録音音声の音声ファイルに関連付けられた画像情報の音声位置等を編集することができる。
【０００７】
しかしながら、このようにＩＣレコーダ内に保存されている録音音声の音声ファイルに関連付けられた画像情報の音声位置は、ＣＣＤカメラで撮像する撮像タイミングに起因して、ユーザの所望とする音声位置と微差であることが多いため、当該音声位置等をパーソナルコンピュータ上で編集する場合、音声と、その音声に対するマーキング機能を有する画像との関連性を把握させる上では、このような微差を容易に修正できるような操作性が強く要求されている。
【０００８】
本発明は以上の点を考慮してなされたもので、操作性を向上し得る編集装置及び編集方法並びに編集プログラムを提案しようとするものである。
【課題を解決するための手段】
【０００９】
かかる課題を解決するため本発明においては、音声情報における１又は複数の音声位置に関連付けられた画像情報の音声位置を管理する管理情報を編集する編集装置において、画像を、所定の画像サイズに変更してなる変更画像を生成する生成手段と、音声情報の現在の再生位置を表すスライダーバーを表示すると共に、当該スライダーバーに沿って、音声位置に変更画像を表示する表示手段と、表示手段に表示された変更画像を、スライダーバーに沿って移動させる操作を入力するための入力手段と、入力手段を介して入力された操作により決定された後の設定に応じて、管理情報における変更画像が関連付けられた音声情報の音声位置に、対応する画像情報の音声位置を更新する更新手段とを設け、当該表示手段では、操作に応動させて変更画像を移動させるようにした。
【００１０】
この結果、この編集装置によれば、変更画像がマーキングとしてのみならず編集点としても扱うことができるため、アイコン等を操作する場合に比して、ユーザが直感的にかつ容易に目的の音声位置にまで操作することができる。
【００１１】
また本発明においては、音声情報における１又は複数の音声位置に関連付けられた画像情報の音声位置を管理する管理情報を編集する編集方法において、画像を、所定の画像サイズに変更してなる変更画像を生成する第１のステップと、音声情報の現在の再生位置を表すスライダーバーを表示すると共に、当該スライダーバーに沿って、音声位置に変更画像を表示する第２のステップと、表示された変更画像を、スライダーバーに沿って移動させる操作を入力する入力操作により決定された後の設定に応じて、管理情報における変更画像が関連付けられた音声情報の音声位置に、対応する画像情報の音声位置を更新する第３のステップとを設け、当該第２のステップでは、操作に応動させて変更画像を移動させるようにした。
【００１２】
この結果、この編集方法によれば、変更画像がマーキングとしてのみならず編集点としても扱うことができるため、アイコン等を操作する場合に比して、ユーザが直感的にかつ容易に目的の音声位置にまで操作することができる。
【００１３】
さらに本発明においては、音声情報における１又は複数の音声位置に関連付けられた画像情報の音声位置を管理する管理情報を編集する編集プログラムにおいて、画像を、所定の画像サイズに変更してなる変更画像を生成する第１の処理と、音声情報の現在の再生位置を表すスライダーバーを表示すると共に、当該スライダーバーに沿って、音声位置に変更画像を表示する第２の処理と、表示された変更画像を、スライダーバーに沿って移動させる操作を入力する入力操作により決定された後の設定に応じて、管理情報における変更画像が関連付けられた音声情報の音声位置に、対応する画像情報の音声位置を更新する第３の処理とをコンピュータに実行させ、当該第２の処理では、操作に応動させて変更画像を移動させるようにした。
【００１４】
この結果、この編集プログラムによれば、変更画像がマーキングとしてのみならず編集点としても扱うことができるため、アイコン等を操作する場合に比して、ユーザが直感的にかつ容易に目的の音声位置にまで操作することができる。
【発明の効果】
【００１５】
本発明によれば、音声情報における１又は複数の音声位置に関連付けられた画像情報の音声位置を管理する管理情報を編集する編集装置及び編集方法並びに編集プログラムにおいて、音声情報の現在の再生位置を表すスライダーバーに沿って、当該音声位置に関連付けられた画像の画像サイズを変更した変更画像を表示し、その変更画像を、スライダーバーに沿って移動させる操作に応動させて変更画像を移動させるようにしたことにより、変更画像がマーキングとしてのみならず編集点としても扱うことができるため、アイコン等を操作する場合に比して、ユーザが直感的にかつ容易に目的の音声位置にまで操作することができ、かくして操作性を向上し得る編集装置及び編集方法並びに編集プログラムを実現できる。
【発明を実施するための最良の形態】
【００１６】
以下図面について、本発明の一実施の形態を詳述する。
【００１７】
（１）本実施の形態によるカメラ付きＩＣレコーダ１の外観構成
（１−１）カメラ付きＩＣレコーダの外観構成
図１〜図３において、１は全体として本実施の形態によるカメラ付きＩＣレコーダ１を示し、全体として丸みを帯びた縦長形状の本体部２の上部に、ＣＣＤ（Charge Coupled Device）カメラ３が取り付けられたＬＣＤカバー部４が上方向（矢印ｚ方向）にスライド自在に配設されている。
【００１８】
本体部２においては、背面２Ａの上部左右両側にそれぞれ集音孔５Ａ、５Ｂが穿設されると共に、これら集音孔にそれぞれ対応させてその内部にマイクロホン２０Ａ、２０Ｂ（図５）が収納されており、かくしてこれらマイクロホン２０Ａ、２０Ｂが対応する集音孔５Ａ、５Ｂを介して外部音声を集音し得るようになされている。
【００１９】
また本体部２の前面２Ｂの中段位置には録音ボタン６Ａが配設されており、この録音ボタン６Ａを押圧操作することによって、各マイクロホン２０Ａ、２０Ｂにより集音された外部音声の録音動作を開始させることができるようになされている。
【００２０】
さらに本体部２の前面２Ｂの上段位置には、図３に示すように、高解像度のカラー液晶ディスプレイでなるＬＣＤ７が配設され、この図３のようにＬＣＤカバー部４を上方向に引き出し、後述のようにＬＣＤカバー部４のカメラカバー８をＣＣＤカメラ３が露出するように回転させた状態において、ＬＣＤ７の下側に配設されたライブビューボタン６Ｂを押圧操作することによって、そのときＣＣＤカメラ３により撮影されている動画像をこのＬＣＤ７に表示させ得るようになされている。
【００２１】
さらに本体部２のライブビューボタン６Ｂの左横にはカメラシャッタボタン６Ｃが配設され、ＬＣＤ７に動画像が表示されている状態においてこのカメラシャッタボタン６Ｃを押圧操作することによって、ＬＣＤ７に表示されていた動画像のうちのカメラシャッタボタン６Ｃを押圧操作した瞬間の１フレーム分の静止画像を取り込んで保存させることができるようになされている。
【００２２】
一方、本体部２の右側面２Ｃにはメニューボタン６Ｄが配設され、このメニューボタン６Ｄを押圧操作することによって、ＬＣＤ７に所定のメニュー画面を表示させ得るようになされている。また本体部２の右側面２Ｃにおけるメニューボタン６Ｄの下側にはジョグレバー６Ｅが配設され、このジョグレバー６Ｅを上下左右方向に倒し又は押圧するように操作することによって、メニュー画面内に表示された各種選択肢の中から所望の選択肢を選択し又はその選択肢を選択対象として決定し得るようになされている。
【００２３】
さらに本体部２の右側面２Ｃにおけるジョグレバー６Ｅの下側には、停止ボタン６Ｆが配設されると共に当該停止ボタン６Ｆの下側にはボリュームボタン６Ｇが配設されており、この停止ボタン６Ｆを押圧操作することによって録音動作や再生動作を停止させることができ、また再生動作時にボリュームボタン６Ｇの上側又は下側を押圧操作することによって、このときＬＣＤ７の裏側に配設されたスピーカ３１（図５）から出力される再生音声の音量を上げ又は下げることができるようになされている。
【００２４】
さらに本体部２の左側面２Ｄにおける電源コネクタ９の下側には、ＵＳＢ（Universal Serial Bus）コネクタ１０が配設されており、このＵＳＢコネクタ１０を介してパーソナルコンピュータ等の外部機器とＵＳＢ接続することができるようになされている。これによりこのカメラ付きＩＣレコーダ１においては、かかるＵＳＢ接続された外部機器との間でこのカメラ付きＩＣレコーダ１内に保存された録音音声の音声データや録画画像の画像データを外部機器に出力したり、当該外部機器から与えられる音声データや画像データを取り込み得るようになされている。
【００２５】
これに対してＬＣＤカバー部４の上部には、円柱形状のカメラカバー８が回転自在に配設されると共に、このカメラカバー８の所定位置には、上述のＣＣＤカメラ３がその光学軸を当該カメラカバー８の中心軸と垂直な方向に向けて取り付けられている。
【００２６】
これによりこのカメラ付きＩＣレコーダ１においては、カメラカバー８をＣＣＤカメラ３が下向きとなる原点位置に位置させることで不使用時のＣＣＤカメラ３を保護する一方、この状態からカメラカバー８を矢印ａ方向に回転させて、ＣＣＤカメラ３を本体部２の背面２Ａ側の正面位置に位置させることによって、ＬＣＤ７に表示される動画像を目視しながら所望の画像を撮影することができるようになされている。
【００２７】
（１−２）カメラ付きＩＣレコーダ１の内部構成
ここで図４は、このカメラ付きＩＣレコーダ１の内部構成を示すものである。
【００２８】
このカメラ付きＩＣレコーダ１においては、電源投入時、外部音声をマイクロホン２０Ａ、２０Ｂにより集音し、得られた音声信号Ｓ１を増幅器２１を介してＡＤ(Analog・Digital)／ＤＡ(Digital・Analog)コンバータ２２に入力する。またＡＤ／ＤＡコンバータ２２は、供給される音声信号Ｓ１を順次ディジタル変換処理し、得られた音声データＤ１をデータ処理及び制御部２３に順次送出する。
【００２９】
データ処理及び制御部２３は、このカメラ付きＩＣレコーダ１全体の制御を司るＣＰＵ(Central Processing Unit)２４、各種プログラムが格納されたＲＯＭ(Read Only Memory)２５及び当該ＣＰＵ２４のワークメモリとしてのＲＡＭ(Random Access Memory)２６を含んでなるマイクロコンピュータ構成の制御部２７と、音声データＤ１及び後述する画像データＤ３に対するデータ圧縮伸張機能を有するＤＳＰ(Digital Signal Processor)２８とから構成される。
【００３０】
そしてデータ処理及び制御部２３の制御部２７には、操作部を構成する上述の録音ボタン６Ａ、ライブビューボタン６Ｂ、カメラシャッタボタン６Ｃ、メニューボタン６Ｄ、ジョグレバー６Ｅ、停止ボタン６Ｆ及びボリュームスイッチ６Ｇのいずれかが操作されたときに、これに応じた操作入力信号Ｓ２が操作部６（６Ａ〜６Ｇ）から与えられる。
【００３１】
また制御部２７には、ＬＣＤカバー部４内に設けられた図示しない第１のセンサから、ＬＣＤカバー部４が図１のように閉じられた閉状態及び図３のように開いた開状態のいずれの状態にあるかを表すＬＣＤカバー状態信号Ｓ３が与えられると共に、ＬＣＤカバー部４内に設けられた図示しない第２のセンサから、カメラカバー８の回転状態が、ＣＣＤカメラ３が露出していない閉状態及びＣＣＤカメラ３が露出した開状態のいずれの状態にあるかを表すカメラカバー状態信号Ｓ４が与えられる。
【００３２】
かくして制御部２７のＣＰＵ２４は、操作入力信号Ｓ２に基づいてユーザの操作内容を認識すると共に、ＬＣＤカメラカバー状態信号Ｓ３及びカメラカバー状態信号Ｓ４に基づいて現在のＬＣＤカバー部４及びカメラカバー８の状態を検知し、これら認識及び検知結果に基づいて対応する制御処理を実行する。
【００３３】
実際上、ＣＰＵ２４は、ＬＣＤカバー部４及びカメラカバー８の少なくともいずれか一方が閉じた状態にあることを検知している場合において、録音ボタン６Ａが押圧操作されたことを認識すると、動作モードを録音モードに遷移してＤＳＰ２８を制御することにより、ＡＤ／ＤＡコンバータ２２から出力される音声データＤ１に対してＬＰＥＣ（ソニー株式会社  登録商標）等の所定の音声圧縮方式に準拠した音声圧縮処理を実行させ、得られた圧縮音声データＤ２を内蔵するフラッシュメモリ２９に順次格納させる。
【００３４】
またＣＰＵ２４は、この後停止ボタン６Ｆが押圧操作されたことを認識すると、ＤＳＰ２８を制御することにより、ＡＤ／ＤＡコンバータ２２から与えられる音声データＤ１に対する音声圧縮処理を停止させる一方、そのときユーザにより選択されていた後述するフォルダ（図６の「FOLDER1」〜「FOLDER3」）内に新たな用件フォルダ（図６の「03072400」〜「03072408」）を生成し、かかる圧縮音声データＤ２をファイル化して、得られた音声ファイル（図６の「03072400.MSV」）をその用件フォルダに収納する。またＣＰＵは、その用件フォルダの管理情報を後述の管理ファイルＭＳＦ（図７）に格納する。
【００３５】
一方、ＣＰＵ２４は、ＬＣＤカバー部４及びカメラカバー８の双方が開状態となったことを検知すると、動作モードをカメラモードに遷移させて、ＣＣＤカメラ３を制御することによりＣＣＤカメラ３を起動させる。この結果、そのときＣＣＤカメラ３により撮影されている光景についての画像信号Ｓ５が当該ＣＣＤカメラ３から順次出力され、これがデータ処理及び制御部２３に与えられる。
【００３６】
そしてＣＰＵ２４は、この状態においてライブビューボタン６Ｂが押圧操作されたことを認識すると、これに応じてＤＳＰ２８を制御する。かくしてこのときＤＳＰ２８は、かかるＣＣＤカメラ３から与えられる画像信号Ｓ５を順次ディジタル変換し、得られた画像データＤ３をＬＣＤ７に送出する。この結果、この画像データＤ３に基づくそのときＣＣＤカメラ３により撮影されている光景の動画像がリアルタイムでＬＣＤ７に表示される。
【００３７】
さらにＣＰＵ２４は、この後この状態においてカメラシャッタボタン６Ｃが押圧操作されたことを認識すると、これに応じてＤＳＰ２８を制御する。かくして、このときＤＳＰ２８は、画像データＤ３に基づき得られるそのカメラシャッタボタン６Ｃが押圧された瞬間の１フレーム分の静止画像の画像データＤ３を取り込み、この取り込んだ画像データＤ３に対して例えばＪＰＥＧ(Joint Photographic Experts Group)等の所定の画像圧縮方式に準拠した画像圧縮処理を施し、得られた圧縮画像データＤ４をフラッシュメモリ２９に格納する。
【００３８】
そしてＣＰＵ２４は、この後そのときユーザにより選択されていたフォルダ内に新たな用件フォルダを生成し、かかる圧縮画像データＤ４からなる画像ファイル（図６の「P0000000.JPG」〜「P0000003.JPG」）をその用件フォルダに収納して、その用件フォルダの管理情報を管理ファイルＭＳＦに格納する。
【００３９】
他方、ＣＰＵ２４は、ＬＣＤカバー部４及びカメラカバー８の双方が開いた状態にあることを検知している場合において、録音ボタン６Ａが押圧操作されたことを認識すると、動作モードを録音録画モードに遷移させると共に、これに応じてＤＳＰ２８を制御する。
【００４０】
このときＤＳＰ２８は、上述した録音モード時と同様にＡＤ／ＤＡコンバータ２２から与えられる音声データＤ１に対して順次所定の音声圧縮処理を施し、得られた圧縮音声データＤ２をフラッシュメモリ２９に格納する。またこのときＤＳＰ２８は、上述したカメラモード時と同様に、ＣＣＤカメラ３から与えられる画像信号Ｓ５を順次ディジタル変換し、得られた画像データＤ３をＬＣＤ７に送出する。この結果ＬＣＤ７には、この画像データＤ３に基づくそのときＣＣＤカメラ３により撮影されている光景の動画像がリアルタイムで表示される。
【００４１】
さらにＣＰＵ２４は、この後この状態においてカメラシャッタボタン６Ｃが押圧操作されたことを認識すると、これに応じてＤＳＰ２８を制御する。このときＤＳＰ２８は、カメラモード時と同様に、ＣＣＤカメラ３から与えられる画像信号Ｓ５に基づき得られるそのカメラシャッタボタン６Ｃが押圧された瞬間の１フレーム分の静止画像の画像データＤ３を取り込み、この取り込んだ画像データＤ３に対して画像圧縮処理を施す。
【００４２】
またＤＳＰ２８は、この後かかる画像圧縮処理により得られた圧縮画像データＤ４を、そのカメラシャッタボタン６Ｃが押圧操作された瞬間を後に検索する際の目印となる画像（以下、これをブックマーク画像と呼ぶ）の圧縮画像データＤ４として、そのときフラッシュメモリ２９に順次格納している圧縮音声データＤ２の対応する位置と関連付けてフラッシュメモリ２９に格納する。
【００４３】
そしてＣＰＵ２４は、この後停止ボタン６Ｆが押圧操作されたことを認識すると、そのときユーザにより選択されていたフォルダ内に新たな用件フォルダを生成し、かかる圧縮音声データＤ２からなる音声ファイルと、当該音声ファイルと関連付けられた上述の各圧縮画像データＤ４でなる各画像ファイルとをその用件フォルダに収納して、その用件フォルダの管理情報を管理ファイルＭＳＦに格納する。
【００４４】
このようにしてこのカメラ付きＩＣレコーダ１においては、音声及び静止画像をそれぞれ独立して記録できるだけでなく、静止画像を録音中の音声と関連付けてブックマーク画像として記録することもできるようになされている。
【００４５】
そしてこのカメラ付きＩＣレコーダ１では、このように音声と関連付けて記録されたブックマーク画像に基づいて、所望する用件フォルダや用件フォルダ内の所望の音声位置を検索できる。
【００４６】
実際上、ＣＰＵ２４は、ジョグレバー６Ｅが押圧操作されて、所望するフォルダ内の所望する用件フォルダを選択するための選択画面（以下、これを用件フォルダ選択画面と呼ぶ）又はその用件フォルダ内の所望するブックマーク画像を選択するための選択画面（以下、これをブックマーク画像選択画面と呼ぶ）の表示命令が入力されたことを認識すると、対応する画像データＤ３をＲＯＭ２５から読み出してＬＣＤ７に送出することにより、図５に示すような用件フォルダ選択画面３２や、当該用件フォルダ選択画面３２と同様構成のブックマーク画像選択画面３３（図５）をＬＣＤ７に表示させる。
【００４７】
この場合においてＣＰＵ２４は、用件フォルダ選択画面３２をＬＣＤ７に表示させるに際しては、そのフォルダ内の用件フォルダ毎に、それぞれその用件フォルダについて予め設定された代表的なブックマーク画像（以下、これを代表画像と呼ぶ）の画像ファイル（圧縮画像データＤ４）をフラッシュメモリ２９から読み出し、これをＤＳＰ２８に復号化処理させて、得られた画像データＤ３に基づき所定サイズのサムネイル画像Ｐ１〜Ｐ６を作成する。
【００４８】
そしてＣＰＵ２４は、この図５に示すように、かくして得られた用件フォルダ毎のサムネイル画像Ｐ１〜Ｐ６を用件フォルダ選択画面３２内に一覧表示させる。なお、このとき音声のみの静止画像を含まない用件フォルダについては、サムネイル画像に代えて所定のアイコンが表示される。
【００４９】
またＣＰＵ２４は、その後ジョグレバー６Ｅが操作されて、用件フォルダ選択画面３２内の１つのサムネイル画像Ｐ１〜Ｐ６が選択されると、上述した管理ファイルＭＳＦ（図７）に基づいて、対応する用件フォルダ内の音声ファイル（圧縮音声データＤ２）をフラッシュメモリ２９から読み出し、これをＤＳＰ２８に復号化処理させる。
【００５０】
この結果、かかる復号化処理により得られた音声データＤ１がＤＳＰ２８から出力され、これがＡＤ／ＤＡコンバータ２２においてアナログ変換されて、得られた音声信号Ｓ６が増幅器３０を介してスピーカ３１に与えられる。これにより、このときこの音声信号Ｓ６に基づく音声がスピーカ３１から出力される。
【００５１】
これと同様に、ＣＰＵ２４は、ブックマーク画像選択画面３３（図５）をＬＣＤ７に表示させる際には、かかる管理ファイルＭＳＦに基づいて、対応する用件フォルダ内の各ブックマーク画像の画像ファイル（圧縮像データＤ４）をフラッシュメモリ２９から読み出し、これらをＤＳＰ２８に復号化処理させて、得られた各画像データＤ３に基づき所定サイズのサムネイル画像Ｐ１〜Ｐ６をそれぞれ作成する。そしてＣＰＵ２４は、このようにして得られたブックマーク画像毎のサムネイル画像Ｐ１〜Ｐ６を、ブックマーク画像選択画面３３内に一覧表示させる。
【００５２】
またＣＰＵ２４は、その後ジョグレバー６Ｅが操作されて、ブックマーク画像選択画面３３内の１つのサムネイル画像Ｐ１〜Ｐ６が選択されると、フラッシュメモリ２９から対応する音声ファイルにおけるそのサムネイル画像Ｐ１〜Ｐ６の元のブックマーク画像と対応付けられた音声部分以降の圧縮音声データＤ２を読み出し、これをＤＳＰ２８に復号化処理させる。
【００５３】
この結果、かかる復号化処理により得られた音声データＤ１がＤＳＰ２８から出力され、これがＡＤ／ＤＡコンバータ２２においてアナログ変換されて、得られた音声信号Ｓ６が増幅器３０を介してスピーカ３１に与えられる。これにより、この音声信号Ｓ６に基づいて、選択された用件フォルダにおけるユーザにより選択されたブックマーク画像と対応付けられた音声位置以降の音声がスピーカ３１から出力される。
【００５４】
このようにしてこのカメラ付きＩＣレコーダ１においては、用件フォルダの代表画像や用件フォルダ内の各ブックマーク画像に基づいて、所望する用件フォルダや、用件フォルダ内の所望する音声位置に迅速かつ容易にアクセスし得るようになされている。
【００５５】
（１−３）カメラ付きＩＣレコーダ１におけるデータ管理フォーマットのディレクトリ構造
次に、このカメラ付きＩＣレコーダ１に採用されている、圧縮音声データＤ２や圧縮映像データＤ４のデータ管理フォーマットであるボイスケープフォーマット（Voiscape Format）のディレクトリ構造について説明する。
【００５６】
図６は、かかるボイスケープフォーマットのディレクトリ構造を示すものである。この図６に示すように、録音音声の音声ファイル（「03072400.MSV」）やこれに関連づけて記録されたブックマーク画像の画像ファイル（「P0000000.JPG」〜「P0000003.JPG」）は、「MSSONY」というフォルダ内に作成された「VOISCAPE」というフォルダに格納される。
【００５７】
用件フォルダを収納するフォルダ（「FOLDER1」〜「FOLDER3」）は、この「VOISCAPE」内に存在し、ユーザはこれらフォルダの中から録音音声の音声ファイル等の格納場所として所望のフォルダを選択したり、新たにフォルダを作成することができる。
【００５８】
また「VOISCAPE」には、作成された用件フォルダを管理するための上述の管理ファイルＭＳＦ（「MSGLIST.MSF」）も収納される。この管理ファイルＭＳＦは、図７に示すように、当該管理ファイルＭＳＦを最後に編集した年月日、時分秒及び曜日等が記述された32〔Byte〕のヘッダ（「Header」）の後に、各フォルダ（「FOLDER1」〜「FOLDER3」）のフォルダ名等が記述されたフォルダエントリ（「Folder Entry」）と、そのフォルダ内に作成された各用件フォルダのフォルダ名及びその用件フォルダの作成日時等が記述されたメッセージエントリ（「Message Entry」）とがフォルダごとに順次記述されたデータ構造を有する。
【００５９】
そしてこのボイスケープフォーマットでは、新たなフォルダや新たな用件フォルダが作成されたときには、上述のような各種管理情報が記述されたフォルダエントリやメッセージエントリが管理ファイルＭＳＦに必ず登録される。これによりこのボイスケープフォーマットでは、この管理ファイルＭＳＦに基づいて、所望の用件フォルダがどのフォルダ内にあるかを確実かつ迅速に検索することができるようになされている。
【００６０】
さらに各フォルダ（「FOLDER1」〜「FOLDER3」）内には、それぞれユーザの使用状況に応じて１又は複数の用件フォルダ（「03072400」〜「03072408」）が作成され、これら各用件フォルダ内に、録音により得られた圧縮音声データＤ２の音声ファイル（「03072400.MSV」）と、かかる録音中に撮影された各ブックマーク画像の圧縮画像データＤ４の画像ファイル（「P0000000.JPG」〜「P0000003.JPG」）と、各画像ファイルを管理するための画像管理ファイルＰＩＮ（「03072400.PIN」）とが収納される。なお、かかる音声ファイルは、既存のＩＣレコーダにおいて採用されている音声ファイルのフォーマットと同じファイルフォーマットを有する。
【００６１】
画像管理ファイルＰＩＮは、図８に示すように、この画像管理ファイルＰＩＮを最後に編集した年月日、時分秒及び曜日等が記述されたヘッダ（「Header」）の後に、複数のピクチャエントリ（「Picture Entry」）が配置されたデータ構造を有する。
【００６２】
この場合、１番目のピクチャエントリには、代表画像が設定されている場合のそのブックマーク画像の画像ファイルのファイル名及び当該ブックマーク画像の音声ファイル（音声データＤ１）に対する対応位置（時・分・秒）等が記述される。なお、代表画像が設定されていない場合には、各ピクチャエントリの先頭に記述される当該領域がピクチャエントリであることを示すピクチャＩＤ以外の当該１番目のピクチャエントリのすべての部分にゼロデータが格納される。
【００６３】
また２番目以降のピクチャエントリには、対応する音声の録音中に撮影された各ブックマーク画像の画像ファイルのファイル名及びそのブックマーク画像の当該音声に対する対応位置（時、分及び秒）等が記述される。この場合、２番目以降のピクチャエントリは、新たなブックマーク画像の画像ファイルが記録されるごとに順次後ろに付加されるものであるため、画像管理ファイルＰＩＮにおける２番目以降のピクチャエントリの並び順が、そのまま対応する音声の先頭からのその画像ファイルが対応付けられた位置の順番を表すこととなる。
【００６４】
このようにしてこのボイスケープフォーマットでは、この画像管理ファイルＰＩＮに基づいて、その用件フォルダの代表画像や各ブックマーク画像の音声に対する対応位置を検索することができる。またこのように音声ファイルとこれに関連付けられた各ブックマーク画像の画像ファイルとを同一のフォルダ（用件フォルダ）内に収納することによって、これらデータを外部のパーソナルコンピュータに取り込んでエクスプローラで見たときに、音声ファイルと画像ファイルとの関連を認識し易く、この結果ユーザが誤って音声ファイルや画像ファイルを削除するのを抑止し得るようになされている。
【００６５】
（２）本実施の形態による用件フォルダ編集システム４０の構成
（２−１）用件フォルダ編集システム４０の構成
ここで図９は、このようなカメラ付きＩＣレコーダ１に対する各種設定や、用件フォルダの追加若しくはコピー、又はカメラ付きＩＣレコーダ１内に保存された用件フォルダの視聴若しくは編集等をパーソナルコンピュータ１を用いて行い得るようになされた用件フォルダ編集システム４０を示すものである。この用件フォルダ編集システム４０は、かかるカメラ付きＩＣレコーダ１及びパーソナルコンピュータ４１がＵＳＢケーブル４２を介して接続されることにより構成されている。
【００６６】
パーソナルコンピュータ４１は、一般家庭に設置される汎用のものであり、図１０に示すように、ＣＰＵ５０、各種プログラムが格納されたＲＯＭ５１、ＣＰＵ５０のワークメモリとしてのＲＡＭ５２、各種アプリケーションソフトウェアが格納されたハードディスク装置５３、画像データに対して所定の信号処理を施す画像処理部５４、音声データに対してディジタル／アナログ変換処理等の所定の信号処理を施す音声処理部５５、インタフェース５６、ＵＳＢコネクタ５７がバス５８を介して相互に接続されることにより本体部５９が構成されている。またインタフェース５６にはキーボード６０及びマウス６１が接続されると共に、画像処理部５４にはディスプレイ６２が接続され、音声処理部５５にはスピーカ６３が接続されている。
【００６７】
さらにハードディスク装置５３には、カメラ付きＩＣレコーダ１のメーカからＣＤ−ＲＯＭに記録されて提供されたものをインストールし、又はユーザがインターネット等のネットワークを通じて当該メーカのホームページからダウンロードした、上述のような用件フォルダの視聴又は編集等の機能を有するアプリケーションソフトウェア（以下、これを用件フォルダ編集用アプリと呼ぶ）が格納されている。
【００６８】
そしてＣＰＵ５０は、キーボード６０やマウス６１が操作されて用件フォルダ編集用アプリの起動命令が入力されると、ハードディスク装置５３から当該用件フォルダ編集用アプリを読み出して、これをＲＡＭ５２に展開する。
【００６９】
またＣＰＵ５０は、この後この用件フォルダ編集用アプリやユーザ操作に基づき、必要に応じて画像処理部５４を制御することにより、後述のようなメインウインド７０（図１１）や編集ウインド（図１５）等の各種ＧＵＩ（Graphical User Interface）をディスプレイ６２に表示させる一方、必要に応じてＵＳＢコネクタ５７を介して接続されたカメラ付きＩＣレコーダ１と通信を行うことにより、当該カメラ付きＩＣレコーダ１との間で用件フォルダのファイルデータや図７について上述した管理ファイルＭＳＦのファイルデータの読書きを行ったり、カメラ付きＩＣレコーダ１に対してユーザ操作に応じた各種設定を行う。
【００７０】
さらにＣＰＵ５０は、かかるカメラ付きＩＣレコーダ１から用件フォルダのファイルデータや管理ファイルＭＳＦのファイルデータを読み出したときには、必要に応じて用件フォルダ内の対応するブックマーク画像の画像ファイルのデータ（以下、これを画像ファイルデータと呼ぶ）や、管理ファイルのファイルデータに基づく所定の管理データを画像処理部５４に与えることにより、この画像ファイルデータや管理データに基づく画像や管理情報をディスプレイ６２に表示されたＧＵＩ内の対応する位置に表示させる。またＣＰＵ５０は、必要に応じてカメラ付きＩＣレコーダ１から読み出した用件フォルダ内の音声ファイルのファイルデータ（以下、これを音声ファイルデータと呼ぶ）を音声処理部５５に与えることにより、当該音声ファイルデータに基づく音声をスピーカ３１から出力させる。
【００７１】
（２−２）メインウインド７０の構成
ここで、ＣＰＵ５０は、用件フォルダ編集用アプリの起動時、ＵＳＢケーブル４２を介してカメラ付きＩＣレコーダ１と通信することにより、管理ファイルＭＳＦ（図７）のファイルデータを当該カメラ付きＩＣレコーダ１から読み出すと共に、この後この管理ファイルＭＳＦのファイルデータ等に基づいて画像処理部５４を制御することにより、図１１に示すようなメインウインド７０をディスプレイ６２に表示させる。
【００７２】
このメインウインド７０は、ツールバー７１、ＩＣレコーダ情報表示部７２、パーソナルコンピュータ情報表示部７３、サムネイル表示部７４及びプレーヤ部７５から構成されるもので、ツールバー７１には、「ファイル」、「編集」及び「表示」等のこの用件フォルダ編集用アプリによって行える内容の項目名やその内容のアイコンが表示される。
【００７３】
そしてユーザは、このツールバー７１に表示されたＩＣレコーダ設定機能に対応付けられたアイコン７１Ａをクリックすることによって所定の設定ウインド（図示せず）をこのメインウインド７０に重ねて表示させることができ、この設定ウインドを用いてカメラ付きＩＣレコーダ１の各種設定を行うことができる。
【００７４】
ＩＣレコーダ情報表示部７２は、デバイス選択コンボボックス８０、残量表示欄８１、フォルダ情報表示欄８２及び用件フォルダ表示欄８３から構成され、カメラ付きＩＣレコーダ１から読み出した当該カメラ付きＩＣレコーダ１に設定されているユーザ名やそのカメラ付きＩＣレコーダ１の機種名が最上段に表示されると共に、当該カメラ付きＩＣレコーダ１の録音可能な残量時間が残量表示欄８１に表示される。
【００７５】
またＩＣレコーダ情報表示部７２では、カメラ付きＩＣレコーダ１から読み出した管理フォイルＭＳＦ（図７）のファイルデータに基づいて、当該カメラ付きＩＣレコーダ１において設定されている各フォルダ（図６における「FOLDER1」〜「FOLDER4」）のフォルダ名やそのフォルダ内に収納されている用件フォルダの数がフォルダ情報表示欄８２に一覧表示される。
【００７６】
そしてＩＣレコーダ情報表示部７２においては、フォルダ情報表示欄８２に表示された各フォルダの中から所望の１つのフォルダをマウス操作により選択することによって、そのフォルダに収納されている各用件フォルダのフォルダ名や録音日時及び録音時間等の所定の情報をテキスト形式で用件フォルダ表示欄８３に一覧表示させることができる。
【００７７】
なおＩＣレコーダ情報表示部７２では、このときの設定を変えることによって、かかるテキスト形式での一覧表示に代えて、図１２に示すように、ＩＣレコーダ情報表示部７２のフォルダ情報表示欄８２において選択したフォルダ内に登録されている各用件フォルダの代表画像のサムネイル画像Ｐ１０〜Ｐ１２を用件フォルダ表示欄８３に一覧表示させることもできる。
【００７８】
そしてユーザは、この用件フォルダ表示欄８３にテキスト情報又はサムネイル画像Ｐ１０〜Ｐ１２が表示された各用件フォルダの中から、所望する用件フォルダをマウス操作により１つ選択することができる。そして１つの用件フォルダが選択されると、その用件フォルダ内の各ブックマーク画像のサムネイル画像Ｐ２０〜Ｐ２３が、当該ブックマーク画像が関連づけられた録音音声のタイムコードと共にサムネイル表示部７４内に一覧表示される。
【００７９】
またこのときプレーヤ部７５の上段には、その用件フォルダに設定されたユーザ名と、上述のようにして選択された用件フォルダのファイル名と、その用件フォルダの録音日時と、その用件フォルダの全録音時間のうちの現在の再生時間とがそれぞれ表示される。
【００８０】
さらに上述のように１つの用件フォルダが選択されると、プレーヤ部７５の下段に設けられた各種基本的な操作を行うための複数のボタン９０Ａ〜９０Ｊからなる基本操作ボタン群９０が活性表示される。かくしてユーザは、この活性表示された基本操作ボタン群９０のうちの再生ボタン９０Ａ、停止ボタン９０Ｂ、早送り再生ボタン９０Ｃ又は早戻し再生ボタン９０Ｄをクリックすることによって、パーソナルコンピュータ４１上においてかかる用件フォルダを再生させたり、当該再生を停止させたり、例えば20秒早送りして３秒間再生する動作を繰り返す早送り再生を実行させたり又は例えば20秒早戻しして３秒間再生する動作を繰り返す早戻し再生を実行させることができる。
【００８１】
なお基本操作ボタン群９０には、この他イージーサーチボタン９０Ｅ、９０Ｆ、ブックマークジャンプボタン９０Ｇ、９０Ｈ及び用件切替えボタン９０Ｉ、９０Ｊが設けられており、このうちイージーサーチボタン９０Ｅ、９０Ｆをクリックすることによって、そのときパーソナルコンピュータ４１上で再生されている用件フォルダについて、10秒だけ早送りして再生動作に戻る早送りイージーサーチ又は３秒だけ戻って再生動作に戻る早戻しイージーサーチを実行させることができる。
【００８２】
またブックマークジャンプボタン９０Ｇ、９０Ｈをクリックすることによって、パーソナルコンピュータ４１上で再生されている用件フォルダの再生位置を前又は次のブックマーク画像が関連付けられたタイムコード位置にまでジャンプさせることができ、用件切替えボタン９０Ｉ、９０Ｊをクリックすることによって、再生対象の用件フォルダをＩＣレコーダ情報表示部７２の用件フォルダ表示欄８３に表示された前又は次の用件フォルダに切り替えることができる。
【００８３】
なおメインウインド７０では、サムネイル表示部７４内に表示されたサムネイル画像Ｐ２０〜Ｐ２２の中から所望のサムネイル画像Ｐ２０〜Ｐ２２をダブルクリックすることによっても、対応する用件フォルダをパーソナルコンピュータ４１上においてそのサムネイル画像Ｐ２０〜Ｐ２２が関連付けられた音声位置から再生させることができる。かくしてユーザは、サムネイル表示部７４内に表示されたサムネイル画像Ｐ２０〜Ｐ２２に基づいて、対応する用件フォルダの所望位置に迅速にアクセスすることができる。
【００８４】
一方、基本操作ボタン群９０の右横には再生スライダーバー９１が設けられており、上述のように１つの用件フォルダが選択されたときには、その用件フォルダに含まれる音声ファイルの最初、中央及び最後のタイムコードが再生スライダーバー９１に沿ってその下側にそれぞれ表示される。そしてその用件フォルダをパーソナルコンピュータ４１上で再生しているときには、現在の再生位置に合わせてスライダ９１Ａが右方向に順次移動するように表示される。
【００８５】
また再生スライダーバー９１の上側には、その用件フォルダ内の各ブックマーク画像が関連付けられたタイムコード位置にそれぞれ対応させて、しおり形状のマーク（以下、これをブックマークと呼ぶ）９２が表示される。
【００８６】
そして用件フォルダの再生時、スライダ９１がいずれかのブックマーク９２と対応付けられたタイムコード位置を経過したとき（すなわち音声フォルダの再生位置がいずれかのブックマーク画像と関連付けられたタイムコード位置を経過したとき）には、そのブックマーク９２が例えば赤色に強調表示されると共に、サムネイル表示部７４に表示されたサムネイル画像Ｐ２０〜Ｐ２２のうちのそのブックマーク９２（そのタイムコードに関連付けられたブックマーク画像）と対応するサムネイル画像Ｐ２０〜Ｐ２２が赤枠で囲まれるように強調表示され、当該サムネイル画像Ｐ２０〜Ｐ２２の下側に表示されたタイムコードが例えば赤色で強調表示される。かくしてユーザは、これらの強調表示に基づいて、全体から見た現在の再生位置を容易に認識することができる。
【００８７】
さらにこのとき再生スライダーバー９１の右側に設けられたピクチャウインド９３には、サムネイル表示部７４に表示されたサムネイル画像Ｐ２０〜Ｐ２２のうちのかかる強調表示されたブックマーク９２と対応付けられたサムネイル画像Ｐ２０〜Ｐ２２のもとのブックマーク画像（すなわち音声フォルダのそのタイムコードに関連付けられたブックマーク画像）が表示される。
【００８８】
この場合ピクチャウインド９３は、その右上に表示された拡大ボタン９３Ａをクリックすることによって、図１３に示すように、メインウインド７０から分離させた状態に拡大表示させることができ、これによりそのブックマーク画像をより詳細に目視確認することができる。またこの拡大表示されたピクチャウインド９４は、その右上に表示された閉ボタン９４Ａをクリックすることによって、図１１のようにもとの位置に縮小表示させることができる。
【００８９】
さらにプレーヤ部７５の中段には、用件フォルダ再生時における音量をオン／オフするためのミュートボタン９５や、音量設定用のスライダーバー９６などの各種操作ボタン及びいくつかのスライダーバーが設けられており、これらをクリックやドロップアンドドラッグ操作することによって、対応する機能を発揮させることができる。
【００９０】
またプレーヤ部７５の中段の最も右側には編集ボタン９７が設けられており、この編集ボタン９７をクリックすることによって編集ウインド（図１５）をこのメインウインド７０に重ねて表示させることができる。かくしてユーザは、この編集ウインド（図１５）を用いて、そのとき選択している用件フォルダ内の音声ファイルに基づく録音音声に対して各ブックマーク画像が関連付けられた位置を変更する等の編集作業を行うことができる。
【００９１】
他方、パーソナルコンピュータ情報表示部７３は、フォルダ情報表示欄１００及びファイル情報表示欄１０１から構成されている。そしてフォルダ情報表示欄１００には、そのパーソナルコンピュータ４１内の各フォルダのフォルダ構造が階層的に表示され、当該フォルダ情報表示欄１００に表示された各フォルダの中からユーザ操作により指定された１つのフォルダに収納されている各ファイルのうち、用件フォルダ編集用アプリが取り扱える所定フォーマットの音声ファイルのファイル名や作成日時等の情報がファイル情報表示欄１０１に表示される。
【００９２】
そしてこのメインウインド７０では、ＩＣレコーダ情報表示部７２の用件フォルダ情報表示欄８３に表示された各用件フォルダの中から１つの用件フォルダを選択すると共に、パーソナルコンピュータ情報表示部７３のフォルダ情報表示欄１００に表示された各フォルダの中から１つのフォルダを選択し、この後ＩＣレコーダ情報表示部７２及びパーソナルコンピュータ情報表示部７３間に表示された保存ボタン１０２をクリックすることによって、カメラ付きＩＣレコーダ１からそのＩＣレコーダ情報表示部７２において選択した用件フォルダのファイルデータを読み込ませて、そのコピーをパーソナルコンピュータ情報表示部７３において選択したパーソナルコンピュータ４１内のフォルダ内に格納させることができる。
【００９３】
またメインウインド７０では、これと逆に、パーソナルコンピュータ情報表示部７３のファイル情報表示欄１０１に表示された各音声ファイルの中から１つの音声ファイルを選択すると共に、ＩＣレコーダ情報表示部７２のフォルダ情報表示欄８２に表示された各フォルダの中から１つのフォルダを選択し、この後ＩＣレコーダ情報表示部７２及びパーソナルコンピュータ情報表示部７３間に表示された追加ボタン１０３をクリックすることによって、パーソナルコンピュータ情報表示部７３において選択した音声ファイルのファイルデータをカメラ付きＩＣレコーダ１に転送させて、これをカメラ付きＩＣレコーダ１内のフラッシュメモリ２９（図４）内に格納させることができる。このときカメラ付きＩＣレコーダ１では、かかる音声ファイルのファイルデータが、ＩＣレコーダ情報表示部７２において選択したフォルダ内に新たに作成した用件フォルダに収納した状態に格納され、これに応じて管理ファイルＭＳＦ（図７）のファイルデータが更新される。
【００９４】
（２−３）編集ウインドの構成
かかる構成に加えて、ＣＰＵ５０は、図１４に示すように、フォルダ情報表示欄８３に表示された各フォルダの中から所望の１つの用件フォルダが選択された状態において、ツールバー７１の「編集」に対応するツールメニューＴＭＵ（図１４（Ａ））若しくは右クリックに対応するショートカットメニューＳＭＵ（図１４（Ｂ））から「ブックマーク編集」の項目が選択された場合、又は編集ボタン９７（図１３）がクリックされた場合、ＵＳＢケーブル４２を介してカメラ付きＩＣレコーダ１と通信することにより、このとき選択された用件フォルダに対応するファイルデータを当該カメラ付きＩＣレコーダ１から読み出すと共に、この後このファイルデータ等に基づいて画像処理部５４を制御することにより、図１５に示すような編集ウインド１１０をディスプレイ６２に表示させる。
【００９５】
この編集ウインド１１０は、ウインド上段に配された画像表示欄１１１と、ウインド中段に配された編集位置操作部１１２Ａ及びウインド下段に配された編集内容決定部１１２Ｂからなる編集プレーヤ１１２とによって構成される。
【００９６】
この編集プレーヤ１１２における編集位置操作部１１２Ａの上段及び中段は、編集ウインド１１０の中央に位置し、当該位置には長方形状の枠体１２１が設けられ、この枠体１２１内の下方には、第１の再生スライドバー１２２が設けられている。そしてこの第１の再生スライドバー１２２の上側には、フォルダ情報表示欄８３から選択された用件フォルダ内の各ブックマーク画像が関連付けられたタイムコード位置にそれぞれ対応させて、当該ブックマーク画像を例えば６０[pixel] ×８０[pixel]サイズに変更してなる画像（以下、これをブックマーク縮小画像と呼ぶ）Ｒ１〜Ｒ３が、枠体１２１の上端との間に表示される。
【００９７】
また編集位置操作部１１２Ａの下段には、第２の再生スライドバー１２３が設けられており、この第２の再生スライドバー１２３の上側には、フォルダ情報表示欄８３から選択された用件フォルダ内の各ブックマーク画像が関連付けられたタイムコード位置にそれぞれ対応させて、ブックマークＳ１〜Ｓ３が表示されると共に、当該第２の再生スライドバー１２３の右側には、全録音時間のうちの現在の再生時間が表示される。
【００９８】
そして第２の再生スライドバー１２３の左側には、再生ボタン１２４Ａ、再生停止ボタン１２４Ｂ、スライドバー拡大ボタン１２４Ｃ及びスライドバー縮小ボタン１２４Ｄからなる操作ボタン群１２４が設けられており、この再生ボタン１２４Ａ又は再生停止ボタン１２４Ｂをクリックすることによって、フォルダ情報表示欄８３から選択された用件フォルダを再生又は再生停止させることができる。
【００９９】
この用件フォルダの再生時、その再生時間に対応して、第１の再生スライドバー１２２のスライダ１２２Ａと、第２の再生スライドバー１２３のスライダ１２３Ａとがそれぞれ再生方向に移動するようになされており、いずれかのブックマークＳ１〜Ｓ３と対応付けられたタイムコード位置を経過したときには、そのブックマークＳが例えば赤色に強調表示されると共に、ブックマーク縮小画像Ｒ１〜Ｒ３のうちのそのブックマーク（タイムコード）Ｓと対応するブックマーク縮小画像Ｒが赤枠で囲まれるように強調表示され、さらに、当該ブックマーク縮小画像Ｒよりもその画像サイズを例えば１５０[pixel] ×２００[pixel]サイズに拡大してなる画像ＩＭが、ウインド上段の画像表示欄１１１における中央に表示される。
【０１００】
またこの編集位置操作部１１２Ａでは、スライドバー拡大ボタン１２４Ｃ及びスライドバー縮小ボタン１２４Ｄをクリックすることによって、第１のスライドバー１２２を拡大又は縮小させることができる。
【０１０１】
この第１の再生スライドバー１２２の拡大時、図１６に示すように、枠体１２１の下端にスクロールバー１２５が表示されると共に、当該枠体１２１の右上端上方にスライドバー拡大率が、初期値の「×１」（図１５）から、再生スライドバー拡大ボタン１１４Ｃのクリック回数に応じて段階表示されて、例えば「×１０」に表示される。
【０１０２】
従って、この編集位置操作部１１２Ａでは、ブックマーク縮小画像Ｒ１〜Ｒ３が重なった状態で表示された場合（図１５）であっても、スライドバー拡大率を大きくすることによって、各ブックマーク縮小画像Ｒ１〜Ｒ３の間隔を広げて（図１６において一点鎖線で示す）、当該ブックマーク縮小画像Ｒ全体を視認させることができる。
【０１０３】
このように編集位置操作部１１２Ａでは、第１の再生スライドバー１２２に対してブックマーク縮小画像Ｒ１〜Ｒ３を相対的に表示して、用件フォルダ内の音声ファイルに基づく録音音声に対して各ブックマーク画像が関連付けられた位置を詳細把握させることができ、これとは逆に、第２のスライドバー１２３に対してブックマークＳ１〜Ｓ３を絶対的に表示して、当該位置を全体把握させることができる。
【０１０４】
さらにこの編集位置操作部１１２Ａでは、かかるブックマーク縮小画像Ｒ１〜Ｒ３をドラッグアンドドロップにより当該ブックマーク縮小画像Ｒを個々に移動させることによって、用件フォルダ内の音声ファイルに基づく録音音声に対してそれぞれ関連付けられたブックマーク画像の位置を変更させることができる。
【０１０５】
実際上、ブックマーク縮小画像Ｒ１〜Ｒ３のうち移動対象の例えばブックマーク縮小画像Ｒ３にマウスカーソルを合わせた状態でマウス押下が維持されたとき、図１７に示すように、当該マウスカーソルに代えて、そのブックマーク縮小画像Ｒ３の中央に、移動方向を表す三角形状のポインタ１２６Ａ、１２６Ｂと、移動解除を表す楕円形状のポインタ１２６Ｃとからなる操作指示ポインタ１２６が表示されると共に、当該ブックマーク縮小画像Ｒ３が移動自在の状態となる。この状態において、ユーザは、第１の再生スライドバー１２２、第２の再生スライドバー１２３及び再生時間により必要に応じて確認しながら、ブックマーク縮小画像Ｒ３を所望の位置にまでドラッグした後にドロップすることにより、当該ブックマーク縮小画像Ｒ３に対応するブックマーク画像の録音音声に対する位置を変更させることができる。
【０１０６】
なお、ユーザは、ブックマーク画像の変更位置が事前に分からないときには、録音音声を再生させてその変更位置を確認し、当該確認した時点でその変更位置にブックマーク縮小画像Ｒ３をドラッグアンドドロップすることによって、当該ブックマーク縮小画像Ｒ３に対応するブックマーク画像の録音音声に対する位置を変更させることができる。
【０１０７】
この場合、編集位置操作部１１２Ａでは、図１８に示すように、操作指示ポインタ１２６の表示と同時に、録音音声の再生が停止されると共に、当該操作指示ポインタ１２６が表示されたブックマーク縮小画像Ｒ３に対応するタイムコード位置にスライダ１２２Ａが戻り、かつそのタイムコードに再生時間が変更される。そしてこの後、ブックマーク縮小画像Ｒ３に対するドラッグに追従してスライダ１２２Ａが移動し、当該ブックマーク縮小画像Ｒ３がドロップされると、そのドロップ地点から録音音声の再生が開始されると共に、スライダ１２２Ａが再生方向に移動する。これによりユーザは、ブックマーク縮小画像Ｒ３をドロップした後に直ちにそのドロップ地点が所望の変更位置であるか否かを確認することができる。
【０１０８】
一方、編集プレーヤ１１２の編集内容決定部１１２Ｂには、録音音声に対してそれぞれ関連付けられた各ブックマーク画像に加えて、新たな画像をブックマーク画像として追加するための「ブックマークの追加」ボタン１３１が設けられており、この「ブックマークの追加」ボタン１３１をクリックすることによって、「ブックマークに画像を追加しますか？」等といった確認コメントと、「はい」及び「いいえ」のボタンとからなるメッセージウインド（図示せず）が表示され、当該「はい」のボタンをクリックすることによって、編集ウインド１１０上に図１９に示すような画像選択ダイアログボックス１４０が表示される。
【０１０９】
この画像選択ダイアログボックス１４０は、プルダウン形式の画像ファイル場所選択欄１４０Ａ、アイコン形式の画像ファイル場所選択欄１４０Ｂ、画像ファイル選択欄１４０Ｃ、プルダウン形式の画像ファイル名選択欄１４０Ｄ及びプルダウン形式の画像ファイル形式選択欄１４０Ｅからなり、当該画像ファイル選択欄１４０Ｃに表示される画像ファイルのいずれかが選択された後に「ＯＫ」ボタンをクリックすることによって、例えば図２０に示すように、当該選択された画像ファイルに基づく画像が新たなブックマーク縮小画像ＲＮとして、このときスライダ１２２Ａが存在するタイムコード位置に対応させて、第１の再生スライドバー１２２の上側に表示させることができる。なお、かかるタイムコード位置に既にブックマーク縮小画像Ｒが存在する場合には、当該タイムコード位置の近傍に表示される。
【０１１０】
また編集内容決定部１１２Ｂには、「ブックマークの削除」ボタン１３２及び「ブックマークと音声の削除」ボタン１３３が設けられており、ブックマーク縮小画像Ｒ１〜Ｒ３のいずれかが削除対象として選択された状態において、当該「ブックマークの削除」ボタン１３２をクリックすることによって、当該選択されたブックマーク縮小画像Ｒを編集ウインド１１０から削除させることができると共に、当該「ブックマークと音声の削除」ボタン１３３をクリックすることによって、当該選択されたブックマーク縮小画像Ｒと、その次のブックマーク縮小画像Ｒまでの録音音声とを編集ウインド１１０から削除させることができる。
【０１１１】
さらに編集内容決定部１１２Ｂには、上述のようにして編集された編集内容をその１つ前の編集内容にまで戻す「元に戻す」ボタン１３４と、当該編集内容を初期の状態にまで戻す「初期状態に戻す」ボタン１３５とが設けられており、これら「元に戻す」ボタン１３４又は「初期状態に戻す」ボタン１３５をクリックすることによって、編集内容を復元するようにして、当該編集を何度でも試行させることができる。
【０１１２】
なお、編集内容決定部１１２Ｂに設けられた「ＯＫ」ボタンをクリックすることによって、当該クリックされたときの編集状態となるように、対応する用件フォルダ内が更新される。
【０１１３】
このようにしてこの用件フォルダ編集システム４０では、編集ウインド１１０（図１５）を用いて各種編集処理を実行することができるようになされている。
【０１１４】
（２−４）編集処理手順
ここでパーソナルコンピュータ４１のＣＰＵ５０（図１０）は、上述のような編集処理を、図２１に示す編集処理手順ＲＴに従って実行する。
【０１１５】
すなわちＣＰＵ５０は、フォルダ情報表示欄８３に表示された各フォルダの中から所望の１つの用件フォルダが選択された状態において、ツールバー７１の「編集」に対応するツールメニューＴＭＵ（図１４（Ａ））若しくは右クリックに対応するショートカットメニューＳＭＵ（図１４（Ｂ））から「ブックマーク編集」の項目が選択された場合、又は編集ボタン９７（図１３）がクリックされると、この編集処理手順ＲＴをステップＳＰ０において開始し、続くステップＳＰ１において、編集ウインド１１０（図１５）を表示させる。
【０１１６】
そしてＣＰＵ５０は、ステップＳＰ２に進んで、そのときＵＢＳ接続されているカメラ付きＩＣレコーダ１にアクセスして、対応する用件フォルダ内のすべての画像ファイルのファイルデータ及び画像管理ファイルＰＩＮ（図８）のファイルデータと、管理ファイルＭＳＦ（図７）内のその用件フォルダのメッセージエントリ（図７の「Message Entry」）のデータとを読み出す。
【０１１７】
続いてＣＰＵ５０は、ステップＳＰ３に進んで、ステップＳＰ２において取得したその用件フォルダ内の各画像ファイルのファイルデータに基づいて各ブックマーク画像に対するブックマーク縮小画像Ｒ１〜Ｒ３の画像データと、ブックマークＳ１〜Ｓ３の画像データとをそれぞれ生成し、これらを画像処理部５４に与える。
【０１１８】
さらにＣＰＵ５０は、このステップＳＰ３において、ステップＳＰ１で取得したその用件フォルダ内の画像管理ファイルＰＩＮに基づいて画像処理部５４を制御し、ブックマーク画像が関連付けられたタイムコード位置にそれぞれ対応させて、当該ブックマーク縮小画像Ｒ１〜Ｒ３を第１の再生スライドバー１２２の上側と枠体１２１の上端との間に表示させると共に、当該ブックマークＳ１〜Ｓ３を第２の再生スライドバー１２３の上側に表示させる。
【０１１９】
次いでＣＰＵ５０は、ステップＳＰ４において、スライドバー拡大ボタン１２４Ｃ又はスライドバー縮小ボタン１２４Ｄがクリックされたか否かを判断し、当該クリックされた場合には、続くステップＳＰ５に進んで、この際にスライドバー拡大ボタン１２４Ｃがクリックされた回数と、当該スライドバー縮小ボタン１２４Ｄがクリックされた回数とに基づいて、第１の再生スライドバー１２２に対する拡大率を決定し、当該決定した拡大率に、第１の再生スライドバー１２２を可変することによりブックマーク縮小画像Ｒ１〜Ｒ３の間隔を変更し、かつ枠体１２１の右上端上方にスライドバー拡大率の表示を変更すると共に、当該枠体１２１の下端にスクロールバー１２５（図１６）を表示させる。
【０１２０】
またＣＰＵ５０は、続くステップＳＰ６において、「ブックマークの追加」ボタン１３１クリックされたか、又はブックマーク縮小画像Ｒ１〜Ｒ３のいずれかが削除対象として選択された状態で「ブックマークの削除」ボタン１３２若しくは「ブックマークと音声の削除」ボタン１３３がクリックされたか否かを判断し、当該クリックされた場合には、続くステップＳＰ７に進んで、対応する仮編集処理を実行する。
【０１２１】
具体的に、ＣＰＵ５０は、この仮編集処理として、「ブックマークの追加」ボタン１３１がクリックされた場合には、画像選択ダイアログボックス１４０（図１９）を介して画像ファイルを選択させ、当該画像ファイルが選択された場合には、その画像ファイルのファイルデータに基づく画像をブックマーク縮小画像ＲＮ（図２０）として、第２の再生スライドバーの上側の所定の位置に表示させる。一方、ＣＰＵ５０は、「ブックマークの削除」ボタン１３２若しくは「ブックマークと音声の削除」ボタン１３３がクリックされた場合には、このとき選択されているブックマーク縮小画像Ｒだけ、あるいは当該ブックマーク縮小画像Ｒと、その次のブックマーク縮小画像Ｒまでの録音音声とを編集ウインド１１０から削除する。
【０１２２】
さらにＣＰＵ５０は、続くステップＳＰ８において、再生ボタン１２４Ａがクリックされたか否かを判断し、当該クリックされた場合には、続くステップＳＰ９に進んで、上述のようにしてカメラ付きＩＣレコーダ１から読み出した対応する用件フォルダ内における音声ファイルのファイルデータを音声処理部５５（図１０）に与えることにより再生処理を実行させる。この結果この音声ファイルのファイルデータに基づく音声がスピーカ６３から出力される。
【０１２３】
このときＣＰＵ５０は、その再生時間に対応させて、スライダ１２２Ａ、スライダ１２３Ａをそれぞれ再生方向に移動させ、いずれかのブックマークＳ１〜Ｓ３と対応付けられたタイムコード位置を経過したときには、そのブックマークＳと、当該ブックマークＳに対応するブックマーク縮小画像Ｒとを強調表示させると共に、当該ブックマーク縮小画像Ｒの拡大画像ＩＭを、ウインド上段の画像表示欄１１１に表示させる。
【０１２４】
さらにＣＰＵ５０は、続くステップＳＰ１０において、ブックマーク縮小画像Ｒに対するマウス押下が維持されたか否か判断し、当該マウス押下が維持された場合には、続くステップＳ１１に進んで、このときマウス押下が維持されているブックマーク縮小画像Ｒの移動処理を実行する。
【０１２５】
具体的に、ＣＰＵ５０は、この移動処理として、上述の再生処理を実行させている場合には、マウス押下が維持されているブックマーク縮小画像Ｒに操作指示ポインタ１２６（図１７）を表示すると同時にこの再生処理を一時中断させ、当該ブックマーク縮小画像Ｒの対応するタイムコード位置にスライダ１２３Ａを戻すと共に、そのタイムコードに再生時間の表示を変更する。この後、ＣＰＵ５０は、このブックマーク縮小画像Ｒに対するドラッグに追従してスライダ１２２Ａを移動させ、当該ブックマーク縮小画像Ｒのドロップに応じて一時中断した再生処理をそのドロップ位置に対応するタイムコードから開始する。一方、ＣＰＵ５０は、かかる再生処理を実行させていない場合には、マウス押下が維持されているブックマーク縮小画像Ｒに操作指示ポインタ１２６（図１７）を表示した後、当該ブックマーク縮小画像Ｒに対するドラッグに追従してスライダ１２２Ａを移動させる。
【０１２６】
さらにＣＰＵ５０は、続くステップＳＰ１２において、「元に戻す」ボタン１３４又は「初期状態に戻す」ボタン１３５がクリックされたか否かを判断し、当該クリックされた場合には、続くステップＳＰ１３に進んで、ステップＳＰ６で仮編集処理した編集内容を、その１つ前の編集内容にまで戻すか、又は初期の状態にまで戻す。
【０１２７】
最後にＣＰＵ５０は、続くステップＳＰ１４において、編集内容決定部１１２Ｂの「ＯＫ」ボタン又は「キャンセル」ボタンがクリックされた否かを判断する。
【０１２８】
そしてＣＰＵ５０は、このステップＳＰ１４において否定結果を得るとステップＳＰ４に戻り、この後このステップＳＰ１４において肯定結果を得るまでステップＳＰ４〜ステップＳＰ１４−ステップＳＰ４のループを繰り返す。
【０１２９】
これに対してＣＰＵ５０は、ステップＳＰ８において肯定結果を得ると、ステップＳＰ１５に進んで、上述の再生処理を実行させている場合には、当該再生処理を停止すると共に、上述の仮編集処理を初期の状態にまで戻していない場合には、当該仮編集処理の編集内容に応じて、ステップＳＰ２において読み出した画像ファイルのファイルデータ及び画像管理ファイルＰＩＮ（図８）のファイルデータと、管理ファイルＭＳＦ（図７）内のその用件フォルダのメッセージエントリ（図７の「Message Entry」）のデータとを更新し、この後ステップＳＰ１６に進んで、この編集処理手順ＲＴを終了する。
【０１３０】
このようにしてＣＰＵ５０は、カメラ付きＩＣレコーダ１内に保存されている用件ファイルについて、編集ウインド１１０（図１５）を介してユーザ操作に応じた各種編集を行うことができる。
【０１３１】
（３）本実施の形態の動作及び効果
以上の構成において、この用件フォルダ編集システム４０では、ディスプレイ６２に、音声情報の現在の再生位置を表す第１の再生スライダーバー１２２が表示されると共に、当該第１の再生スライダーバー１２２に沿って、当該ブックマーク画像が関連付けられた音声位置（タイムコード位置）に、ブックマーク画像の画像サイズが所定サイズに縮小されてなる縮小画像Ｒが表示され、その縮小画像Ｒを、第１の再生スライダーバー１２２に沿って移動させる操作に応動させて縮小画像Ｒを移動させる。
【０１３２】
従って、この用件フォルダ編集システム４０では、縮小画像Ｒがマーキングとしてのみならず編集点としても扱うことができるため、アイコン等を移動操作する場合に比して、ユーザが直感的にかつ容易に所望の音声位置にまで移動操作することができ、この結果、現在の音声位置がユーザの所望とする音声位置と微差であったとしても正確に移動操作することができる。
【０１３３】
この場合において、この用件フォルダ編集システム４０では、かかる第１の再生スライダーバー１２２がユーザ操作に応じて表示倍率が変更自在に表示され、当該第１の再生スライダーバー１２２と共に、表示倍率が固定の第２の再生スライダーバー１２３が表示される。
【０１３４】
従って、この用件フォルダ編集システム４０では、第２の再生スライダーバー１２３により縮小画像Ｒの音声位置を全体把握させると共に、第１の再生スライダーバー１２２によりその音声位置を及び詳細把握させることができるため、ユーザがより直感的にかつ容易に所望の音声位置にまで移動操作することができる。
【０１３５】
以上の構成によれば、音声情報の現在の再生位置を表す第１の再生スライダーバー１２２と、当該第１の再生スライダーバー１２２に沿って、当該ブックマーク画像が関連付けられた音声位置（タイムコード位置）に、ブックマーク画像の画像サイズが所定サイズに縮小されてなる縮小画像Ｒとをディスプレイ６２に表示し、その縮小画像Ｒを、第１の再生スライダーバー１２２に沿って移動させる操作に応動させて縮小画像Ｒを移動させるようにしたことにより、縮小画像Ｒがマーキングとしてのみならず編集点としても扱うことができるため、アイコン等を移動操作する場合に比して、ユーザに対して直感的にかつ容易に所望の音声位置にまで移動操作させることができ、かくして操作性を向上することができる。
【０１３６】
（４）他の実施の形態
上述の実施の形態においては、本発明を用件フォルダ編集システム４０を構成するパーソナルコンピュータ４１に適用するようにした場合について述べたが、本発明はこれに限らず、１１又は複数の音声位置に画像が関連付けられた音声情報と、当該画像の画像情報とを管理する管理情報を編集する編集装置に広く適用することができる。
【０１３７】
また上述の実施の形態においては、パーソナルコンピュータ４１及びカメラ付きＩＣレコーダ１をＵＳＢケーブル４２を介して接続することで、上述のようにパーソナルコンピュータ４１上でカメラ付きＩＣレコーダ１内に保存された用件ファイルを編集等できるようにした場合について述べたが、本発明はこれに限らず、例えばカメラ付きＩＣレコーダ１のフラッシュメモリ２９を着脱自在とし、これをパーソナルコンピュータ４１に装着することで、当該フラッシュメモリ２９に格納されている用件ファイルを編集等できるようにしても良い。
【０１３８】
さらに上述の実施の形態においては、各種命令を入力するためのＧＵＩとしての編集ウインド１１０を図１５のように構成するようにした場合について述べたが、本発明はこれに限らず、この他種々の構成を広く適用することができる。
【０１３９】
さらに上述の実施の形態においては、各ブックマーク画像の関連付けられた音声位置にそれぞれ対応させて第２の再生スライダーバー１２３の上側に表示するマークをしおり形状とするようにした場合について述べたが、この他種々のマーク形態を広く適用することができる。
【０１４０】
さらに上述の実施の形態においては、用件フォルダの再生時に、第２の再生スライダーバー１２３のスライダ１２３ＡがいずれかのブックマークＳ１〜Ｓ３と対応付けられたタイムコード位置を経過したときに、そのブックマークＳ１〜Ｓ３を赤色で表示すると共に、ブックマーク縮小画像Ｒ１〜Ｒ３のうちのそのブックマークＳと対応するブックマーク縮小画像Ｒを赤枠で囲むようにしてこれらを強調表示するようにした場合について述べたが、本発明はこれに限らず、強調表示の方法としては、この他種々の表示方法を広く適用することができる。
【０１４１】
さらに上述の実施の形態においては、元のブックマーク画像の画像サイズを変更してなるブックマーク縮小画像Ｒと、画像ＩＭとを所定の配置位置に表示するようにした場合について述べたが、本発明はこれに限らず、これに代えて、着目部分するオブジェクトを拡大したり、回転してなるブックマーク縮小画像Ｒと、画像ＩＭとを所定の配置位置に表示するようにしても良い。
【０１４２】
さらに上述の実施の形態においては、「元に戻す」ボタン１３４をクリックすることによって、編集された編集内容をその１つ前の編集内容にまで戻すようにした場合について述べたが、本発明はこれに限らず、予め設定した回数にまで戻したり、入力された回数まで戻す等、要は、任意の編集回数に戻すようにすることができる。
【産業上の利用可能性】
【０１４３】
本発明は、音声及び画像をデータとして記録再生する場合に利用可能である。
【図面の簡単な説明】
【０１４４】
【図１】本実施の形態によるカメラ付きＩＣレコーダの外観構成（１）を示す略線図である。
【図２】本実施の形態によるカメラ付きＩＣレコーダの外観構成（２）を示す略線図である。
【図３】本実施の形態によるカメラ付きＩＣレコーダの外観構成（３）を示す略線図である。
【図４】本実施の形態によるカメラ付きＩＣレコーダの内部構成を示すブロック図である。
【図５】用件フォルダ選択画面等の構成を示す略線図である。
【図６】ボイスケープフォーマットのディレクトリ構造を示す略線図である。
【図７】用件フォルダ管理ファイルのデータ構造を示す略線図である。
【図８】画像管理ファイルのデータ構造を示す略線図である。
【図９】本実施の形態による用件ファイル編集システムの構成を示す略線図である。
【図１０】パーソナルコンピュータの構成を示すブロック図である。
【図１１】メインウインド７０の構成を示す略線図である。
【図１２】ＩＣレコーダ情報表示部の他の表示例を示す略線図である。
【図１３】ピクチャウインドの拡大表示を示す略線図である。
【図１４】メニュー表示を示す略線図である。
【図１５】編集ウインドの構成を示す略線図である。
【図１６】再生スライドバーの拡大を示す略線図である。
【図１７】操作指示ポインタの表示を示す略線図である。
【図１８】スライダの追従の説明に供する略線図である。
【図１９】画像選択ダイアログボックスの構成を示す略線図である。
【図２０】新たなブックマーク縮小画像の表示を示す略線図である。
【図２１】編集処理手順を示すフローチャートである。
【符号の説明】
【０１４５】
１……カメラ付きＩＣレコーダ、４０……用件フォルダ編集システム、４１……パーソナルコンピュータ、４２……ＵＳＢケーブル、５０……ＣＰＵ、５１……ＲＯＭ、５２……ＲＡＭ、５３……ハードディスク装置、５４……画像処理部、５５……音声処理部、５９……本体部、６１……マウス、６２……ディスプレイ、６３……スピーカ、７０……メインウインド、７５……プレーヤ部、９７……編集ボタン、１１０……編集ウインド、１１１……画像表示欄、１１２……編集プレーヤ、１１２Ａ……編集位置操作部、１１２Ｂ……編集内容決定部、１２１……枠体、１２２……第１の再生スライドバー、１２２Ａ、１２３Ａ……スライダ、１２３……第２の再生スライドバー、１２４……操作ボタン群、１２４Ａ……再生ボタン、１２４Ｂ……再生停止ボタン、１２４Ｃ……スライドバー拡大ボタン、１２４Ｄ……スライドバー縮小ボタン、１２５……スクロールバー、１２６……操作指示ポインタ、１３１……「ブックマークの追加」ボタン、１３２……「ブックマークの削除」ボタン、１３３……「ブックマークと音声の削除」ボタン、１３４……「元に戻す」ボタン、１３５……「初期状態に戻す」ボタン、１４０……画像選択ダイアログボックス、ＩＭ……拡大画像、Ｒ１〜Ｒ３……ブックマーク縮小画像、Ｓ１〜Ｓ３……ブックマーク、ＴＭＵ……ツールメニュー、ＳＭＵ……ショートカットメニュー、ＲＴ……編集処理手順。
【図１】
2006173795.tif 000003
【図２】
2006173795.tif 000004
【図３】
2006173795.tif 000005
【図４】
2006173795.tif 000006
【図５】
2006173795.tif 000007
【図６】
2006173795.tif 000008
【図７】
2006173795.tif 000009
【図８】
2006173795.tif 000010
【図９】
2006173795.tif 000011
【図１０】
2006173795.tif 000012
【図１１】
2006173795.tif 000013
【図１２】
2006173795.tif 000014
【図１３】
2006173795.tif 000015
【図１４】
2006173795.tif 000016
【図１５】
2006173795.tif 000017
【図１６】
2006173795.tif 000018
【図１７】
2006173795.tif 000019
【図１８】
2006173795.tif 000020
【図１９】
2006173795.tif 000021
【図２０】
2006173795.tif 000022
【図２１】
2006173795.tif 000023